(57)【要約】【課題】  あらかじめ登録された電話番号からの着信呼に対して自動的にコールバックを行う場合の操作を簡単化し、かつ、柔軟に利用できるようにする。【解決手段】  登録された電話番号を発信者とする着信呼が所定時間以内に呼放棄され、かつその呼放棄の後にその着信呼への応答操作が行われたことを条件として、自動的にコールバックを行う。【選択図】図２
2008085816.tif 000002
【特許請求の範囲】
【請求項１】
コールバック対象となる電話番号が登録される記憶手段と、
この記憶手段に登録された電話番号を発信者とする着信呼に対して折り返し自動発信を行うコールバック手段と
を備えた電話装置において、
前記コールバック手段は、前記記憶手段に登録された電話番号を発信者とする着信呼が第一の所定時間以内に呼放棄され、かつその呼放棄の後にその着信呼への応答操作が行われたことを条件として、自動発信を行う
ことを特徴とする電話装置。
【請求項２】
前記コールバック手段は、前記記憶手段に登録された電話番号を発信者とする着信呼が前記第一の所定時間以内に呼放棄されても、第二の所定時間が経過するか、あるいはその着信呼への応答操作が行われるまで着信表示を継続し、前記応答操作が前記第二の所定時間以内に行われたときには自動発信を行う請求項１記載の電話装置。
【請求項３】
コールバック対象となる電話番号は携帯電話機の電話番号である請求項１記載の電話装置。
【請求項４】
複数の内線端末を収容し、前記コールバック手段は、前記複数の内線端末のいずれかで応答操作がなされたときに自動発信を行う請求項１記載の電話装置。
【請求項５】
あらかじめ事業所の電話装置に携帯電話機の電話番号を登録しておき、
外出先で前記携帯電話機から前記事業所の電話装置に電話をかけて所定時間以内に呼放棄し、
前記事業所の電話装置では、あらかじめ登録された電話番号の携帯電話機からの着信呼に対して、それが前記所定時間以内で呼放棄されても着信表示を継続し、応答操作が行われたときには前記携帯電話機に折り返し自動発信を行う
ことを特徴とする自動コールバック方法。
【発明の詳細な説明】
【技術分野】
【０００１】
本発明はコールバック機能を備えた電話装置に関する。特に、ボタン電話装置あるいは構内交換機のような事業所用の電話装置の改良に関する。
【背景技術】
【０００２】
外出時に個人所有の携帯電話で自社へ連絡する場合、通常は、通話料金が個人の携帯電話へ課金されてしまう。通話料金を会社負担とするためには、相手応答後自社から再度かけ直してもらうか、通信事業者の有料の按分サービスが必要であった。
【０００３】
通話料金を会社負担とするため、自動的に電話のかけ直し（コールバック）を行う技術も知られている。例えば特許文献１には、ＩＳＤＮ回線を介してデータ通信を行うため、登録された相手先からの着信に対して自動的にコールバックを行うことが開示されている。また、特許文献２には、あらかじめ登録された電話番号と一致する番号情報の発信者端末に対して、着信側でその呼を切断した後、着信側の端末でオフフックがあった場合に自動的にコールバックを行うことが開示されている。
【０００４】
【特許文献１】特許第３２６９７３９号
【特許文献２】特許第３５２２１７３号
【発明の開示】
【発明が解決しようとする課題】
【０００５】
しかし、特許文献１に開示の技術はデータ通信のためのもので、音声通話に利用できるものではない。
【０００６】
特許文献２に開示の技術では、着信側で人が操作しない限りコールバックが行われず、不要なコールバック発信による呼を発生させることがない。しかし、登録された電話番号からの着信呼はすべてコールバックの対象となってしまい、不便な点もある。例えば、着信側の端末でオフフックがあるまでいつまでもリンガ鳴動させるわけにはいかないので、ある程度の時間が経過した後はコールバックを中止しなければならないが、そうなると、着信側で直ぐに電話に出られない場合には電話が繋がらないことになる。
【０００７】
本発明は、このような課題を解決し、発信者側の操作に応じて自動的にコールバックを行うことのできる電話装置および自動コールバック方法を提供することを目的とする。
【課題を解決するための手段】
【０００８】
本発明の第一の観点によると、コールバック対象となる電話番号が登録される記憶手段と、この記憶手段に登録された電話番号を発信者とする着信呼に対して折り返し自動発信を行うコールバック手段とを備えた電話装置において、前記コールバック手段は、前記記憶手段に登録された電話番号を発信者とする着信呼が第一の所定時間以内に呼放棄され、かつその呼放棄の後にその着信呼への応答操作が行われたことを条件として、自動発信を行うことを特徴とする電話装置が提供される。
【０００９】
前記コールバック手段は、前記記憶手段に登録された電話番号を発信者とする着信呼が前記第一の所定時間以内に呼放棄されても、第二の所定時間が経過するか、あるいはその着信呼への応答操作が行われるまで着信表示を継続し、前記応答操作が前記第二の所定時間以内に行われたときには自動発信を行うことが望ましい。
【００１０】
コールバック対象となる電話番号は携帯電話機の電話番号とすることができる。
【００１１】
本発明の電話装置は複数の内線端末を収容する装置であり、前記コールバック手段は、前記複数の内線端末のいずれかで応答操作がなされたときに自動発信を行うことが望ましい。
【００１２】
本発明の第二の観点によると、あらかじめ事業所の電話装置に携帯電話機の電話番号を登録しておき、外出先で前記携帯電話機から前記事業所の電話装置に電話をかけて所定時間以内に呼放棄し、前記事業所の電話装置では、あらかじめ登録された電話番号の携帯電話機からの着信呼に対して、それが前記所定時間以内で呼放棄されても着信表示を継続し、応答操作が行われたときには前記携帯電話機に折り返し自動発信を行うことを特徴とする自動コールバック方法が提供される。
【発明の効果】
【００１３】
本発明では、あらかじめ登録された電話番号を発信者とする着信呼が所定時間以内に呼放棄され、かつその呼放棄の後にその着信呼への応答操作が行われたことを条件として、自動的にコールバックを行う。したがって、着信側にとっては、通常の着信に対する応答と全く同じ操作となる。一方、発信側にとっては、呼出音を確認してすぐ切断し、呼び返しを待つことで、個人所有の電話機に課金させることなく簡単に事業者負担で通話を行うことができ、経済的である。また、着信側の応答を自動発信のきっかけとしたので、事業所に誰もいない場合は自動発信することはなく、無駄な通話も無い。さらに、発信側で呼放棄しない場合には通常の着信として扱うことができ、柔軟な利用が可能となる。
【発明を実施するための最良の形態】
【００１４】
図１は本発明の一実施例を示すブロック構成図であり、ボタン電話装置で本発明を実施した例を示す。
【００１５】
このボタン電話装置は、ボタン電話主装置１と、このボタン電話主装置１に収容される内線端末２−１〜２−ｎとを備える。ボタン電話主装置１には、外線インタフェース部１１、外線呼制御部１２および内線インタフェース部１３、タイマ部１４およびメモリ１５を備え、外線呼制御部１２には着信制御部１２１および発信制御部１２２を備える。メモリ１５にはコールバック対象となる電話番号が登録されるコールバック対象番号テーブル１５１が設けられ、外線呼制御部１２は、このコールバック対象番号テーブル１５１に登録された電話番号を発信者とする着信呼に対して折り返し自動発信を行うことができる。
【００１６】
ここで本実施例の特徴とするところは、コールバック対象番号テーブル１５１に登録された電話番号を発信者とする着信呼が第一の所定時間以内に呼放棄され、かつその呼放棄の後にその着信呼への応答操作（オフフック）が行われたことを条件として、自動発信を行うことにある。
【００１７】
図２は自動コールバック動作を説明するタイムチャートである。ここでは、コールバック対象が携帯電話機であり、外出先から事業所の電話装置（図１のボタン電話装置、以下単に「事業所装置」という）に電話をかける場合を例に説明する。ここで「携帯電話機」とは、セルラ方式のものだけでなく、ＰＨＳ（Personal Handyphone System）電話機を含むものとする。
【００１８】
自動コールバックを行うには、あらかじめ、コールバック対象番号テーブル１５１に携帯電話機の電話番号を登録しておく。登録済の携帯電話機で外出先から事業所に電話をかけると、事業所装置では、着信を検出して内線端末を着信鳴動させる。このとき、通信事業者網から携帯電話機には、呼出音（リングバックトーンＲＢＴ）が送られる。携帯電話機では、この呼出音が聞こえたら、直ちに電話を切って呼放棄する。事業所装置側では呼出信号が消失するが、着信から呼放棄までの時間が第一の所定時間以内であれば、回線を予約し、内線端末の着信鳴動あるいはＬＥＤの点滅等の着信表示を継続する。第二の所定時間が経過するか、あるいはいずれかの内線端末がオフフックされるまで着信表示を継続し、いずれかの内線端末が第二の所定時間以内にオフフックされたときには、携帯電話機へ自動的に発信する。携帯電話機が応答すると、通話を行うことができる。このときの通話料金は事業所側負担となる。携帯電話機が第三の所定時間以内に応答しない場合には呼放棄する。第一の所定時間、第二の所定時間および第三の所定時間はそれぞれ、タイマ部１４のコールバック検出タイマ、コールバック起動タイマおよびコールバック起動タイマにより計時する。
【００１９】
図３は内線端末が応答しなかった場合の動作を説明するタイムチャートである。第二の所定時間が経過してもいずれの内線端末も応答しない場合には、着信鳴動を停止し、回線の予約を解除する。
【００２０】
以上の動作において、発信側が第一の所定時間内に呼放棄しない場合には、事業所装置では通常の着信として扱う。
【００２１】
以上の実施例では事業所装置としてボタン電話装置を例に説明したが、構内交換機やその他の電話装置でも本発明を同様に実施できる。
【図面の簡単な説明】
【００２２】
【図１】本発明の一実施例を示すブロック構成図。
【図２】自動コールバック動作を説明するタイムチャート。
【図３】内線端末が応答しなかった場合の動作を説明するタイムチャート。
【符号の説明】
【００２３】
１    ボタン電話主装置
２−１〜２−ｎ  内線端末
１１  外線インタフェース部
１２  外線呼制御部
１３  内線インタフェース部
１４  タイマ部
１５  メモリ
１２１  着信制御部
１２２  発信制御部
１５１  コールバック対象番号テーブル
【図１】
2008085816.tif 000003
【図２】
2008085816.tif 000004
【図３】
2008085816.tif 000005